(57)【要約】【課題】制限情報（場所情報、時刻情報など）を利用して楽曲を再生する技術を提供する。【解決手段】利用者がオーディオ再生装置１０の操作部を介して、特定のオーディオファイルを選択して再生を指示すると、ＧＰＳセンサはＧＰＳ衛星３０から場所時刻情報を受信し、場所時刻情報を制御部に出力する。制御部は、条件ファイルとＧＰＳセンサが出力した場所時刻情報とを照合し、当該場所時刻情報が当該オーディオファイルに対応する条件レコードの条件に合致するかを判断する。その結果、合致する場合には当該オーディオファイルの再生を行い、合致しない場合には当該オーディオファイルの再生を禁止する。【選択図】図１
2008225108.tif 000002
【特許請求の範囲】
【請求項１】
現在位置を示す現在位置情報を、ＧＰＳセンサを用いて生成する現在位置情報生成手段と、
所定の外部の機器から楽曲データを受信し、かつ前記楽曲データの再生についての地理的条件を示す条件データを受信する楽曲データ受信手段と、
前記楽曲データ受信手段が受信した前記楽曲データおよび条件データを対にして記憶する記憶手段と、
前記記憶手段内の楽曲データを特定してその再生を指示する再生指示手段と、
前記再生指示手段によって再生が指示されると、前記特定された楽曲データおよび当該楽曲データと対になっている条件データを前記記憶手段から読み出す読出手段と、
前記読出手段が読み出した楽曲データを再生する再生手段と、
前記読出手段が読み出した条件データと前記現在位置生成手段が生成した現在位置情報とを比較し、比較結果に応じて前記再生手段の再生動作を制限する制限手段と
を具備することを特徴とする楽曲再生端末装置。
【請求項２】
外部機器から供給される情報を受信するとともに、前記現在位置生成手段が生成した現在位置情報に基づいて前記情報から特定種類の情報を抽出して特定抽出情報とする特定抽出情報生成手段を具備するとともに、
前記条件データは前記地理的条件に加えて前記特定種類の制限情報を含み、
前記制限手段は、前記読出手段が読み出した条件データに対して前記現在位置生成手段が生成した現在位置情報および前記特定抽出情報の少なくともいずれか一方を比較し、比較結果に応じて前記再生手段の再生動作を制限することを特徴とする請求項１記載の楽曲再生端末装置。
【請求項３】
前記現在位置生成手段が生成した現在位置情報に基づいて特定種類の情報である特定種類情報を要求する要求情報を生成する要求生成手段と、
前記要求情報生成手段が生成した前記要求情報を外部機器に送信する要求情報送信手段と、
前記要求情報送信手段の送信に対する応答として前記外部機器から供給される特定種類情報を受信する情報受信手段を具備するとともに、
前記条件データは前記地理的条件に加えて前記特定種類の制限情報を含み、
前記制限手段は、前記読出手段が読み出した条件データに対して前記現在位置生成手段が生成した現在位置情報および前記特定種類情報の少なくともいずれか一方を比較し、比較結果に応じて前記再生手段の再生動作を制限することを特徴とする請求項１記載の楽曲再生端末装置。
【請求項４】
現在位置を示す現在位置情報を、ＧＰＳセンサを用いて生成する現在位置情報生成手段と、
前記現在位置生成手段が生成した現在位置情報に基づいて特定種類の情報である特定種類情報を要求する要求情報を生成する要求生成手段と、
前記要求情報生成手段が生成した前記要求情報を特定の外部機器に送信する要求情報送信手段と、
前記要求情報送信手段の送信に対する応答として前記特定の外部機器から供給される特定種類情報を受信する情報受信手段と、
所定の外部の機器から楽曲データを受信し、かつ前記楽曲データの再生についての条件を示し、前記特定種類の情報と同一種類の情報である条件データを受信する楽曲データ受信手段と、
前記楽曲データ受信手段が受信した前記楽曲データおよび条件データを対にして記憶する記憶手段と、
前記記憶手段内の楽曲データを特定してその再生を指示する再生指示手段と、
前記再生指示手段によって再生が指示されると、前記特定された楽曲データおよび当該楽曲データと対になっている条件データを前記記憶手段から読み出す読出手段と、
前記読出手段が読み出した楽曲データを再生する再生手段と、
前記読出手段が読み出した条件データと前記現在位置生成手段が生成した現在位置情報とを比較し、比較結果に応じて前記再生手段の再生動作を制限する制限手段と
を具備することを特徴とする楽曲再生端末装置。
【請求項５】
前記制限手段による前記楽曲データの再生動作の制限は、
（ａ）当該楽曲データの全部又は一部の再生を禁止すること
（ｂ）当該楽曲データの全部又は一部の再生品質を劣化させること
（ｃ）当該楽曲データの再生の順序を示す順位を低下させること
の少なくとも一つを含む請求項１乃至４のいずれかに記載の楽曲再生端末装置。
【請求項６】
前記楽曲データは動画情報を含み、
前記制限手段による前記楽曲データの再生動作の制限は、
（ａ）当該楽曲データに含まれる動画情報の全部又は一部の再生を禁止すること
（ｂ）当該楽曲データに含まれる動画情報の全部又は一部の再生品質を劣化させること  の少なくとも一つを含む請求項１乃至５のいずれかに記載の楽曲再生端末装置。
【請求項７】
請求項１乃至６のいずれかに記載の楽曲再生端末装置と、
前記ＧＰＳセンサに現在位置情報を生成させるための電波信号を送信するＧＰＳ衛星と、
前記楽曲再生端末装置に前記楽曲データと当該楽曲データと対になる前記条件データを送信するサーバと
を具備することを特徴とする楽曲再生システム。
【発明の詳細な説明】
【技術分野】
【０００１】
本発明は、楽曲データを再生する楽曲データ再生装置に関する。
【背景技術】
【０００２】
近年、集積回路の技術が向上し、記憶媒体の記憶密度は飛躍的に高くなった。フラッシュＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の半導体メモリによる記憶容量が増大したことにより、ポータブルオーディオ再生装置で持ち運びができる楽曲の数は数百曲から数千曲に至るほどとなっている。
【０００３】
ところが、所有する大量の楽曲の中には、ポータブルオーディオ再生装置を持ち運んだ場所や、季節や天候によっては聴くことがふさわしくない楽曲も存在する。利用者は楽曲再生に際して、こうした状況にふさわしくない楽曲を積極的に除外する必要があり、煩雑な操作を必要としていた。このような煩雑な操作を回避するための技術が開発されている（特許文献１〜２参照）。
【特許文献１】特開２００４−２８６７８４号公報
【特許文献２】特開２００３−８４７７４号公報  しかし、特許文献１、２の技術では楽曲提供者側に「提供した楽曲の再生にふさわしい場所を限定したい」という要望があっても、一旦提供した楽曲の再生は利用者側の操作に応じて決定されるため、楽曲提供者の意向を反映することができなかった。
【発明の開示】
【発明が解決しようとする課題】
【０００４】
本発明は、このような事情に鑑みてなされたものであり、一旦利用者側に提供した楽曲であっても、提供者側の意図を反映した再生制限を行うことができる技術を提供する。
【課題を解決するための手段】
【０００５】
本発明の好適な態様である楽曲再生端末装置は、現在位置を示す現在位置情報を、ＧＰＳセンサを用いて生成する現在位置情報生成手段と、所定の外部の機器から楽曲データを受信し、かつ前記楽曲データの再生についての地理的条件を示す条件データを受信する楽曲データ受信手段と、前記楽曲データ受信手段が受信した前記楽曲データおよび条件データを対にして記憶する記憶手段と、前記記憶手段内の楽曲データを特定してその再生を指示する再生指示手段と、前記再生指示手段によって再生が指示されると、前記特定された楽曲データおよび当該楽曲データと対になっている条件データを前記記憶手段から読み出す読出手段と、前記読出手段が読み出した楽曲データを再生する再生手段と、前記読出手段が読み出した条件データと前記現在位置生成手段が生成した現在位置情報とを比較し、比較結果に応じて前記再生手段の再生動作を制限する制限手段とを具備することを特徴とする。
【０００６】
また、上述の態様において、外部機器から供給される情報を受信するとともに、前記現在位置生成手段が生成した現在位置情報に基づいて前記情報から特定種類の情報を抽出して特定抽出情報とする特定抽出情報生成手段を具備するとともに、前記条件データは前記地理的条件に加えて前記特定種類の制限情報を含み、前記制限手段は、前記読出手段が読み出した条件データに対して前記現在位置生成手段が生成した現在位置情報および前記特定抽出情報の少なくともいずれか一方を比較し、比較結果に応じて前記再生手段の再生動作を制限してもよい。
【０００７】
また、上述の態様において、前記現在位置生成手段が生成した現在位置情報に基づいて特定種類の情報である特定種類情報を要求する要求情報を生成する要求生成手段と、前記要求情報生成手段が生成した前記要求情報を外部機器に送信する要求情報送信手段と、前記要求情報送信手段の送信に対する応答として前記外部機器から供給される特定種類情報を受信する情報受信手段を具備するとともに、前記条件データは前記地理的条件に加えて前記特定種類の制限情報を含み、前記制限手段は、前記読出手段が読み出した条件データに対して前記現在位置生成手段が生成した現在位置情報および前記特定種類情報の少なくともいずれか一方を比較し、比較結果に応じて前記再生手段の再生動作を制限してもよい。
【０００８】
また、本発明の別の好適な態様である楽曲再生端末装置は、現在位置を示す現在位置情報を、ＧＰＳセンサを用いて生成する現在位置情報生成手段と、前記現在位置生成手段が生成した現在位置情報に基づいて特定種類の情報である特定種類情報を要求する要求情報を生成する要求生成手段と、前記要求情報生成手段が生成した前記要求情報を特定の外部機器に送信する要求情報送信手段と、前記要求情報送信手段の送信に対する応答として前記特定の外部機器から供給される特定種類情報を受信する情報受信手段と、所定の外部の機器から楽曲データを受信し、かつ前記楽曲データの再生についての条件を示し、前記特定種類の情報と同一種類の情報である条件データを受信する楽曲データ受信手段と、前記楽曲データ受信手段が受信した前記楽曲データおよび条件データを対にして記憶する記憶手段と、前記記憶手段内の楽曲データを特定してその再生を指示する再生指示手段と、前記再生指示手段によって再生が指示されると、前記特定された楽曲データおよび当該楽曲データと対になっている条件データを前記記憶手段から読み出す読出手段と、前記読出手段が読み出した楽曲データを再生する再生手段と、前記読出手段が読み出した条件データと前記現在位置生成手段が生成した現在位置情報とを比較し、比較結果に応じて前記再生手段の再生動作を制限する制限手段とを具備することを特徴とする。
【０００９】
また、上述の態様において、前記制限手段による前記楽曲データの再生動作の制限は、（ａ）当該楽曲データの全部又は一部の再生を禁止すること、（ｂ）当該楽曲データの全部又は一部の再生品質を劣化させること、（ｃ）当該楽曲データの再生の順序を示す順位を低下させることの少なくとも一つを含んでいてもよい。
【００１０】
また、上述の態様において、前記楽曲データは動画情報を含み、前記制限手段による前記楽曲データの再生動作の制限は、（ａ）当該楽曲データに含まれる動画情報の全部又は一部の再生を禁止すること、（ｂ）当該楽曲データに含まれる動画情報の全部又は一部の再生品質を劣化させることの少なくとも一つを含んでいてもよい。
【００１１】
また、本発明の好適な態様である楽曲再生システムは、上述の楽曲再生端末装置と、前記ＧＰＳセンサに現在位置情報を生成させるための電波信号を送信するＧＰＳ衛星と、前記楽曲再生端末装置に前記楽曲データと当該楽曲データと対になる前記条件データを送信するサーバとを具備することを特徴とする。
【発明の効果】
【００１２】
本発明によれば、楽曲配信者が配信する楽曲に対して再生状況の制限を加えることができる。
【発明を実施するための最良の形態】
【００１３】
次に、この発明を実施するための最良の形態を説明する。
［Ａ］第一実施形態
まず、第一の実施形態について説明する。
（Ａ−１）第一実施形態の構成
（Ａ−１−１）楽曲再生システム１の全体構成
図１は、第一実施形態に係る楽曲再生システム１の全体構成を示す図である。
この楽曲再生システム１は、オーディオ再生装置１０と、データ配信装置２０、ＧＰＳ（Ｇｌｏｂａｌ  Ｐｏｓｉｔｉｏｎｉｎｇ  Ｓｙｓｔｅｍ）衛星３０とを備えている。ＧＰＳ衛星３０は、搭載する原子時計に基づく時間データを、地球の周回軌道から所定周波数帯の電波によって地上に送信する人工衛星である。なお、ＧＰＳ衛星３０は楽曲再生システム１において複数必要であるが、説明の簡略のため図１では１つだけを示している。オーディオ再生装置１０は、オーディオデータを再生して、オーディオ信号を出力する装置であり、例えばポータブルオーディオプレイヤーである。ここで、オーディオデータとは広く「音」（楽曲や音声など）を記録することができるデジタルデータのことをいい、例えば、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ：登録商標）形式データのように楽曲再生のための機器制御情報を記述したデータや、ＭＰ３（ＭＰＥＧ−１  Ａｕｄｉｏ  Ｌａｙｅｒ−ＩＩＩ）形式データのように音響波形をデジタルサンプリングし、必要に応じて圧縮処理したデータなどである。また、オーディオ再生装置１０は、ＧＰＳ衛星３０が送信する電波を受信し、現在の場所情報を得る。データ配信装置２０は、インターネットや固定電話網など様々な通信網によって構成されるネットワーク９０を介して、オーディオ再生装置１０にオーディオデータを配信する装置であり、例えばＷＷＷ（Ｗｏｒｌｄ  Ｗｉｄｅ  Ｗｅｂ）サーバ装置である。オーディオ再生装置１０及びデータ配信装置２０はそれぞれ有線又は無線によってネットワーク９０に接続されている。また、これらの装置が協働することによって、楽曲を再生する再生システムとして機能する。なお、オーディオデータは、ファイル形式のデータとして取り扱われるから、以下では、オーディオファイルという。
【００１４】
（Ａ−１−２）データ配信装置２０の構成
図２は、データ配信装置２０の構成の一例を示す図である。
図２に示すように、データ配信装置２０は、制御部２１と、通信部２２と、記憶部２３とを備えている。制御部２１は、例えばＣＰＵ（Ｃｅｎｔｒａｌ  Ｐｒｏｃｅｓｓｉｎｇ  Ｕｎｉｔ）などの演算装置とＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの各種メモリを備えている。演算装置がこれらのメモリや記憶部に記憶されているコンピュータプログラムを読み出して実行することにより、データ配信装置２０の各部を制御する。通信部２２は、ネットワーク９０に接続されており、制御部２１による制御の下でオーディオ再生装置１０と通信を行う。
【００１５】
記憶部２３は、例えばハードディスクなどの大容量の記憶手段である。この記憶部２３には、オーディオ再生装置１０に配信されるオーディオファイル群２３ｂと、オーディオファイルと対になって送信される条件レコードが記述された条件ファイル２３ｃと、これらオーディオファイルや条件レコードをオーディオ再生装置１０に配信するための手順が記述された楽曲配信プログラム２３ａの他、各種の画面データなどが記憶されている。なお、条件レコードの詳細については後述する。
【００１６】
（Ａ−１−３）オーディオ再生装置１０の構成
次に、図３のブロック図を参照しながら、オーディオ再生装置１０の構成について説明する。図３に示すように、オーディオ再生装置１０は、制御部１１と、ＧＰＳセンサ１２と、通信部１３と、記憶部１４と、操作部１５と、表示部１６と、放音部１７とを備えている。制御部１１は、例えばＣＰＵなどの演算装置とＲＯＭやＲＡＭなどの各種メモリとを備えている。演算装置がこれらのメモリや記憶部１４に記憶されているコンピュータプログラムを読み出して実行することにより、オーディオ再生装置１０の各部を制御する。また、制御部１１は時間を計測するタイマも備えており、タイマの発信するクロックに基づいて割り込み処理を行う。
【００１７】
ＧＰＳセンサ１２は、例えば、アンテナとプロセッサを備えており、複数のＧＰＳ衛星３０から送信される電波信号をアンテナが受信し、プロセッサがこれらの電波信号に含まれる時刻データの時間差から、それぞれのＧＰＳ衛星３０との相対的な距離差を算出して、現在の場所情報を得る装置である。第一実施形態ではＧＰＳセンサ１２は、現在の場所情報に加えて、受信した電波信号を基に現在の時刻情報も出力できる。
【００１８】
通信部１３は、ネットワーク９０に接続されており、制御部１１による制御の下でデータ配信装置２０と通信を行う。なお、通信部１３とネットワーク９０との間にパーソナルコンピュータを介在させてもよい。この場合、通信部１３は、ＵＳＢインタフェースや無線通信回路であり、有線又は無線を介して、パーソナルコンピュータと情報の遣り取りをすることで、ネットワーク９０と接続することが可能である。操作部１５は例えばメニュー画面に表示されたメニューのいずれかの項目を選択するための方向ボタンやスイッチなどを備えており、利用者による操作を受け付けてその操作内容に応じた信号を制御部１１に出力する。ここで、利用者による操作とは例えば、オーディオファイルのダウンロード、再生、削除などである。表示部１６は、例えば液晶ディスプレイ装置であり、制御部１１から与えられるデータに基づいて利用者との対話画面や各種の情報を表示する。
【００１９】
記憶部１４は、例えばハードディスクやフラッシュＥＥＰＲＯＭなどの大容量の記憶手段であり、楽曲再生プログラム１４ａのほか、データ配信装置２０からダウンロードしたオーディオファイル群１４ｂと条件ファイル１４ｃが記憶されている。放音部１７はＤ／ＡコンバータやＤＳＰ（Ｄｉｇｉｔａｌ  Ｓｉｇｎａｌ  Ｐｒｏｃｅｓｓｏｒ）などを備えており、制御部１１の制御の下で記憶部１４から読み出されたオーディオファイルに基づき楽曲を放音又は出力する。
【００２０】
（Ａ−１−４）条件ファイル１４ｃの構成
次に、図４は上述した条件ファイル１４ｃの構成の一例を示す図である。図示のように、条件ファイル１４ｃは複数の条件レコードを含んでいる。条件レコードは、オーディオファイル群１４ｂの各オーディオファイルの再生条件を記述している。データ配信装置２０は、１つのオーディオファイルにつき必ず１つの条件レコードを対にして送信する。
【００２１】
利用者が新しくオーディオファイルをデータ配信装置２０からダウンロードするように指示をすると、制御部１１はダウンロードしたオーディオファイルをオーディオファイル群１４ｂに記憶させるとともに、これに対応する条件レコードを条件ファイル１４ｃに挿入する。第一実施形態において条件レコードは、オーディオファイル名、時期条件、場所条件のフィールドを有している。オーディオファイル名とは当該条件レコードに対応する１のオーディオファイルのファイル名をいい、このオーディオファイル名により、条件レコードから対応するオーディオファイルへのアクセスが可能となり、反対に、オーディオファイル名に基づいて、条件ファイル１４ｃから対応する条件レコードを抽出することができる。このようにして、オーディオファイル群１４ｂに含まれるオーディオファイルとこれと対になる条件レコードの対応関係は常に保たれる。
【００２２】
また、利用者がオーディオファイル群１４ｂから特定のオーディオファイルを削除するように指示をすると、制御部１１は指示された当該オーディオファイルをオーディオファイル群１４ｂから削除するとともに、これに対応する条件レコードを条件ファイル１４ｃから削除する。
【００２３】
時期条件とは当該オーディオファイルを聴くことができる期間を示している。場所条件とは、緯度と経度の組み合わせからなる情報であり、当該オーディオファイルを聴くことができる場所の中心点を示している。なお、当該中心点から半径１ｋｍ以内の場所がこのオーディオファイルを聴くことができる範囲である。例えば、図４に示すようにオーディオファイル名「Ａ００１．ｍｉｄ」というオーディオファイルを聴くことができる時期は３月中であり、聴くことができる場所は北緯３４．７１８８度、東経１３７．７３２５度の地点から半径１ｋｍ以内である。
【００２４】
データ配信装置２０の記憶部２３も条件ファイル２３ｃを記憶しているが、条件ファイル１４ｃと同一の構成であるため、説明を省略する。
【００２５】
（Ａ−２）第一実施形態の動作
次に第一実施形態の動作について説明する。
（オーディオファイルをダウンロードするまでの動作）
図５は第一実施形態において、楽曲再生システム１が楽曲を再生する手順（楽曲再生プロセスＳ１００）を示したシーケンス図である。
まず、利用者がオーディオ再生装置１０の操作部１５を介して、データ配信装置２０への接続を指示すると、制御部１１は通信部１３を介してデータ配信装置２０に対して接続を要求する（Ｓ１０１）。データ配信装置２０の制御部２１はこの要求に応じてオーディオ再生装置１０にダウンロード画面を送信する（Ｓ１０２）。ダウンロード画面を見た利用者のダウンロード要求操作を受けて、制御部１１はデータ配信装置２０に対して楽曲のダウンロードを要求する（Ｓ１０３）。データ配信装置２０の制御部２１はこの要求に応じて、オーディオファイル群２３ｂから当該要求により特定されるオーディオファイルを選び出し、選び出したオーディオファイルに対応する条件レコードを条件ファイル２３ｃから抽出して、これらを対にしてオーディオ再生装置１０に送信する（Ｓ１０４）。送信されたオーディオファイルは制御部１１の制御の下に記憶部１４に記憶され、これと対になって送信された条件レコードは条件ファイル１４ｃに挿入される（Ｓ１０５）。以上により、オーディオ再生装置１０がオーディオファイルをダウンロードするまでの動作が完了する。
【００２６】
（オーディオファイルの再生）
次に、利用者がオーディオ再生装置１０の操作部１５を介して、特定のオーディオファイルを選択して再生を指示する（Ｓ１０６）と、ＧＰＳセンサ１２はＧＰＳ衛星３０から場所及び時刻の情報（以下、場所時刻情報Ｉｎｆ１という）を受信し、場所時刻情報Ｉｎｆ１を制御部１１に出力する（Ｓ１０７）。制御部１１は、条件ファイル１４ｃとＧＰＳセンサ１２が出力した場所時刻情報Ｉｎｆ１とを照合し、当該場所時刻情報Ｉｎｆ１が当該オーディオファイルに対応する条件レコードの条件に合致するかを判断する（Ｓ１０８）。その結果、合致する場合には（Ｓ１０８；ＹＥＳ）当該オーディオファイルの再生を行い（Ｓ１０９）、合致しない場合には（Ｓ１０８；ＮＯ）当該オーディオファイルの再生を禁止する（Ｓ１１０）。
【００２７】
［Ｂ］第二実施形態
次に、第二実施形態について説明する。第二実施形態は何らかのサーバ（第二実施形態において気象情報サーバ４０）によって場所時刻情報Ｉｎｆ１から別の情報（第二実施形態において気象情報Ｉｎｆ２）を生成し、これを楽曲再生の判断材料とする点に特徴がある。また、条件レコードによって再生の可否が決まるのではなく、再生の優先度が決まる点に特徴がある。
【００２８】
（Ｂ−１）第二実施形態の構成
（Ｂ−１−１）楽曲再生システム２の全体構成
図６は、第二実施形態に係る楽曲再生システム２の全体構成を示す図である。
第二実施形態においては、ネットワーク９０に気象情報サーバ４０が接続されていることのみが図１に示す第一実施形態に係る楽曲再生システム１の全体構成と異なっている点であり、他の装置の構成は楽曲再生システム１と同じである。これにより、オーディオ再生装置１０と気象情報サーバ４０は相互に通信をすることができる。気象情報サーバ４０とは、全国各地の観測地から送信される気象観測データをデータベースで管理しており、場所時刻情報Ｉｎｆ１を受信すると、受信した場所時刻情報Ｉｎｆ１が示す場所及び時刻にもっとも近い気象観測地において観測された気象情報（以下、気象情報Ｉｎｆ２という）を抽出して、送信するサーバである。気象情報サーバ４０は、例えば、気象庁のサーバや、気象庁又はＷＭＯ（Ｗｏｒｌｄ  Ｍｅｔｅｏｒｏｌｏｇｉｃａｌ  Ｏｒｇａｎｉｚａｔｉｏｎ）から気象観測データを取得したＷＷＷサーバなどである。
【００２９】
（Ｂ−１−２）条件ファイル１４ｃの構成
図７は第二実施形態における条件ファイル１４ｃの構成の一例を示す図である。第二実施形態においては、条件レコードのフィールドとこれに格納される情報が異なっているほかは第一実施形態と同じであり、オーディオファイルと条件レコードを常に１対１で対応していることも同様である。条件レコードのフィールドは「晴れ」「曇り」「雨」「雪」であり、これらそれぞれについて０から９までの１０段階の数値が記述されている。この数値は小さいほど、当該楽曲が当該フィールドの示す天候にふさわしくないことを意味し、反対にこの数値が大きいほど、当該楽曲が当該フィールドの示す天候にふさわしいことを意味する。この数値も第一実施形態と同様、オーディオファイルの配信時に予め設定されている。例えば、図７において、「Ａ００１．ｍｉｄ」というオーディオファイル名のオーディオファイルは「晴れ」のフィールドが「９」であり、「雨」「雪」のフィールドは「０」であるから、この楽曲は晴天にふさわしく、雨や雪が降っているときにはふさわしくない曲として設定されている。
【００３０】
（Ｂ−２）第二実施形態の動作
次に図８を用いて、第二実施形態の動作（楽曲再生プロセスＳ２００）について説明する。第二実施形態において、オーディオ再生装置１０がオーディオファイルをダウンロードするまでの動作（Ｓ２０１〜Ｓ２０５）は第一実施形態（Ｓ１０１〜Ｓ１０５）と同じであるので省略する。
【００３１】
（楽曲の再生指示制限）
まず、第二実施形態における楽曲の再生指示について説明する。第二実施形態においては、利用者はオーディオ再生装置１０に対して楽曲の再生を指示するとき、特定の楽曲を選択することはできない。ただし、ダウンロード（すなわちオーディオファイル群１４ｂに追加）する楽曲と削除する楽曲は選択することができる。したがって、利用者はオーディオ再生装置１０に好みの楽曲を記憶させ、また、一度記憶させた楽曲が好みに合わなくなったときには、削除することで、所有するオーディオファイル群１４ｂを好みに合わせていくが、再生についてはオーディオ再生装置１０の制御部１１の制御に従う。
【００３２】
（気象情報Ｉｎｆ２の獲得）
利用者がオーディオ再生装置１０の操作部１５を介して、再生を指示する（Ｓ２０６）と、ＧＰＳセンサ１２はＧＰＳ衛星３０から場所時刻情報Ｉｎｆ１を受信し、場所時刻情報Ｉｎｆ１を制御部１１に出力する（Ｓ２０７）。制御部１１はＧＰＳセンサ１２が出力した場所時刻情報Ｉｎｆ１を、通信部１３を介して気象情報サーバ４０へ送信する（Ｓ２０８）。気象情報サーバ４０はオーディオ再生装置１０から受信した場所時刻情報Ｉｎｆ１に基づいて、上述した気象情報Ｉｎｆ２をオーディオ再生装置１０に送信する（Ｓ２０９）。
【００３３】
（オーディオファイルの再生）
オーディオ再生装置１０の制御部１１は気象情報サーバ４０から受信した気象情報Ｉｎｆ２に基づいて条件ファイル１４ｃを並べ替え（Ｓ２１０）、並べ替えられた条件ファイル１４ｃの順序に沿ってオーディオファイルを再生する（Ｓ２１１）。
ここで、条件ファイル１４ｃの並べ替えステップ（Ｓ２１０）について、図７を用いて、詳細を説明する。ここで、説明のため、図７に示すレコードは上から３行（すなわち、Ａ００１．ｍｉｄからＡ００３．ｍｉｄまで）しかないと仮定する。例えば、気象情報サーバ４０から受信した気象情報Ｉｎｆ２が示す天候が「曇り」であれば、それぞれの楽曲において「曇り」のフィールドに記述されている数値は「Ａ００１．ｍｉｄ」では１、「Ａ００２．ｗａｂ」では２、「Ａ００３．ｍｉｄ」では８であるため、並べ替えると「Ａ００３．ｍｉｄ」が最も上位となり、次いで「Ａ００２．ｗａｂ」、最下位が「Ａ００１．ｍｉｄ」となる。一方、気象情報Ｉｎｆ２が示す天候が「晴れ」であれば、「晴れ」のフィールドに記述されている数値は「Ａ００１．ｍｉｄ」では９、「Ａ００２．ｗａｂ」では１、「Ａ００３．ｍｉｄ」では２であるため、順位は「Ａ００１．ｍｉｄ」「Ａ００３．ｍｉｄ」「Ａ００２．ｗａｂ」となる。このようにして、その時その場所における天候に最もふさわしい楽曲が上位に抽出されるので、利用者は積極的に楽曲を選ばなくても、天候にふさわしくない楽曲の再生機会を制限することができる。
【００３４】
［Ｃ］第三実施形態
次に、第三実施形態について説明する。第一実施形態及び第二実施形態においては、条件レコードは配信時に予め設定された後は固定であったが、第三実施形態においては利用者の利用状況に応じて条件レコードが変更されていく点に特徴がある。そして、このためにオーディオ再生装置１０に利用状況を記憶する仕組みを持たせている点にも特徴がある。また、利用者は楽曲を積極的に選択して再生する指示と、オーディオ再生装置１０に再生する曲を選択させる指示とを選べることに特徴がある。
【００３５】
（Ｃ−１）第三実施形態の構成
第三実施形態は全体構成については第一実施形態と同一である。以下に、相違する構成についてのみ説明する。
【００３６】
（Ｃ−１−１）オーディオ再生装置１０の構成
図９は第三実施形態におけるオーディオ再生装置１０の構成を示す図である。これは記憶部１４が履歴データベース１４ｄと再生リスト１４ｅを備えていることを除いて、図３と同じである。履歴データベース１４ｄとは、利用者のオーディオ再生装置１０の利用状況を記憶したデータベースである。また、再生リスト１４ｅの詳細については後述する。
【００３７】
（Ｃ−１−２）履歴データベース１４ｄの構成
ここで、履歴データベース１４ｄの構成について、図１０を用いて説明する。
図１０は履歴データベース１４ｄの構成の一例を示す図である。図１０に示すように、履歴データベース１４ｄは、オーディオファイル名テーブル１４ｄ−１と各オーディオファイルに対応する再生場所履歴テーブル１４ｄ−２を有している。オーディオファイル名テーブル１４ｄ−１はオーディオファイル群１４ｂに含まれる全てのオーディオファイル名を記述したものであり、ダウンロードによってオーディオファイル群１４ｂに含まれるオーディオファイルが追加されたときには、オーディオファイル名テーブル１４ｄ−１に当該オーディオファイル名も挿入され、削除操作によってオーディオファイル群１４ｂに含まれるオーディオファイルが消滅したときには、オーディオファイル名テーブル１４ｄ−１から当該オーディオファイル名も削除される。再生場所履歴テーブル１４ｄ−２はオーディオファイル群１４ｂに含まれる各オーディオファイルの再生場所を記述したもので、新しいものから６件まで記録可能であり、これを超えると古いものから消去されるようになっている。再生場所履歴テーブル１４ｄ−２は、各オーディオファイルがオーディオファイル群１４ｂに追加されたときに同時に作成され、各オーディオファイルがオーディオファイル群１４ｂから削除されたときに同時に削除されるようになっている。
【００３８】
（Ｃ−１−３）再生リスト１４ｅの構成
図１１は再生リスト１４ｅの構成の一例を示す図である。再生リスト１４ｅとは、オーディオファイル群１４ｂに記憶したオーディオファイルのうちの一部を抽出したものであり、順位とオーディオファイル名の２つのフィールドを有するテーブル構造のファイルである。順位フィールドには、再生リスト１４ｅの保有するレコード数をｎとすると、１からｎまでの自然数が重複なく記述されており、これにより対応するオーディオファイルの優先順位を特定することができる。例えば、図１１に示す例は２件のレコードからなる再生リスト１４ｅである。
【００３９】
（Ｃ−２）第三実施形態の動作
次に図１２を用いて、第三実施形態の動作（楽曲再生プロセスＳ３００）について説明する。第三実施形態においても、オーディオ再生装置１０がオーディオファイルをダウンロードするまでの動作（Ｓ３０１〜Ｓ３０５）は第一実施形態（Ｓ１０１〜Ｓ１０５）と同じであるので省略する。
【００４０】
（楽曲の再生操作）
まず、第三実施形態におけるオーディオ再生装置１０の再生操作について説明する。利用者は、オーディオ再生装置１０にオーディオファイルの再生を指示するにあたって、通常再生指示とシャッフル再生指示を選択することができる。通常再生指示とはオーディオファイルを選択して、再生を指示することである。一方、シャッフル再生指示とはオーディオファイルを選択せずに、再生を指示することである。
【００４１】
（通常再生指示における楽曲再生動作）
利用者がオーディオファイルを選択して再生を指示すると（Ｓ３０６）、ＧＰＳセンサ１２はＧＰＳ衛星３０から場所時刻情報Ｉｎｆ１を受信し、場所時刻情報Ｉｎｆ１を制御部１１に出力する（Ｓ３０７）。制御部１１は操作部１５から利用者の当該指示を受け取り、楽曲の選択操作をしているか否かの判断を行う（Ｓ３０８）。楽曲の選択操作をしている場合（Ｓ３０８；ＹＥＳ）は、制御部１１は、履歴データベース１４ｄに場所時刻情報Ｉｎｆ１を記録し（Ｓ３０９）、選択された当該オーディオファイルを再生する（Ｓ３１０）。
【００４２】
（シャッフル再生指示における楽曲再生動作）
一方、楽曲の選択操作をしていない場合（Ｓ３０８；ＮＯ）は、制御部１１は履歴データベース１４ｄで条件ファイル１４ｃを更新し（Ｓ３１１）、場所時刻情報Ｉｎｆ１に基づいて、更新された条件ファイル１４ｃを並べ替え（Ｓ３１２）、並べ替えられた条件ファイル１４ｃから上位１０件のオーディオファイル名を基に再生リスト１４ｅを作成する（Ｓ３１３）。この再生リスト１４ｅが作成されたら、制御部１１はタイマの時刻情報や場所時刻情報Ｉｎｆ１を種として擬似乱数を発生させて、１から１０までの数値をランダムに並べ替え、この数列に沿って対応する再生リスト１４ｅのオーディオファイルを順番に再生する（Ｓ３１４）
【００４３】
ここで、Ｓ３１１の動作である「履歴データベース１４ｄで条件ファイル１４ｃを更新」することについて、図１０及び図１３を用いて説明する。図１３（ａ）は更新前の条件ファイル１４ｃの一例を示す図である。図１３（ａ）に示すように、オーディオファイル名「Ａ００１．ｍｉｄ」の条件レコードの「場所条件」フィールドは、更新前においては「北緯３４．７１８８，東経１３７．７３２５」である。ここで、上述のとおり、「Ａ００１．ｍｉｄ」が何回か通常再生指示により再生されると（Ｓ３０８〜Ｓ３０９）、履歴データベース１４ｄにおいては、オーディオファイル名「Ａ００１．ｍｉｄ」に対応する再生場所履歴テーブル１４ｄ−２に、その再生場所が順次記録されていく。この再生場所の履歴が所定の条件を満たすときに、制御部１１は再生場所の平均値を算出し、当該平均値が示す「場所条件」を新たに生成して、条件ファイル１４ｃの「Ａ００１．ｍｉｄ」に対応する「場所条件」フィールドを書き換える。ここで所定の条件とは様々な態様が考えられるが、例えば図１０に示すように、再生場所履歴テーブル１４ｄ−２に記録された再生場所が「北緯３４．７３０，東経１３７．７８０」「北緯３４．７２９，東経１３７．７８１」「北緯３４．７３１，東経１３７．７７９」・・・というように「北緯３４．７３０，東経１３７．７８０」近傍に集中していて、これらの地点が半径１０ｋｍ以内であった場合などである。フィールドを書き換える動作は、例えば上述の平均値が「北緯３４．７３０，東経１３７．７８０」であった場合に、図１３（ｂ）に示すように「Ａ００１．ｍｉｄ」に対応する「場所条件」フィールドを「北緯３４．７３０，東経１３７．７８０」に書き換えることである。
【００４４】
［Ｄ］変形例
以上、本発明の実施形態について説明したが、本発明は上述した実施形態に限定されることなく、他の様々な形態で実施可能である。以下にその一例を示す。なお、上述した実施形態及び、以下の各態様を適宜に組み合わせてもよい。
【００４５】
（１）上述した第二実施形態では、気象条件を示す条件レコードは天候であり、気象情報は「晴れ」「曇り」「雨」「雪」のいずれかであったが、気象条件はこれに限られるものではなく、例えば「風速」「気温」「気圧」「気圧変化」「降水量」などであってもよい。また、気象情報は「さくらの開花予想」など気象に応じて関係機関が発表する情報であってもよい。
【００４６】
（２）上述した実施形態では、時刻情報の獲得にはＧＰＳ衛星３０から送信される電波を用いたが、時刻情報の獲得手段はこれに限られるものではなく、例えば電波時計により受信する標準周波数電波を用いてもよい。また、制御部１１に備えられたタイマを用いてもよい。また、上述した第二実施形態では、気象情報Ｉｎｆ２として「場所時刻情報Ｉｎｆ１が示す場所及び時刻にもっとも近い気象観測地において観測された」としていたが、気象情報サーバ４０が気象情報Ｉｎｆ２を観測データ中から選ぶ際に参照する時刻は場所時刻情報Ｉｎｆ１が示す時刻に限られない。例えば、気象情報サーバ４０が第1制限情報を受信した時刻をサーバ内蔵のタイマによって参照してもよい。この場合には気象情報サーバ４０に送信する第1制限情報には時刻情報を含めなくてもよい。さらに、気象情報サーバ４０が単にその場所の最新の気象情報を送信するだけであれば観測データ中から気象情報Ｉｎｆ２を選ぶ際に時刻を参照しなくてもよい。
【００４７】
（３）上述した第二実施形態では、気象情報の獲得にはネットワーク９０を経由する必要があったが、気象情報の獲得手段はネットワークを介するものに限定されず、例えば気象放送を受信してもよい。この場合には受信した放送と場所時刻情報Ｉｎｆ１とから現在時刻及び現在位置における気象情報を抽出すればよいので、場所時刻情報Ｉｎｆ１を外部機器へ送信する必要はない。具体的には例えば、気象放送がデータ放送の場合には、場所時刻情報Ｉｎｆ１の文字情報をキーにして、受信した当該データ放送に含まれる文字情報を自動的に検索し、合致した部分のデータから現在時刻及び現在位置における気象情報を獲得することができる。また、気象放送が音声による放送である場合には、放送される音声を音声認識処理し、文字情報に変換した上で前述と同様に場所時刻情報Ｉｎｆ１の文字情報をキーにして気象情報を自動的に獲得してもよい。
なお、上述の「場所時刻情報Ｉｎｆ１の文字情報をキーにして気象放送から気象情報を抽出する」ことや、第二実施形態における「場所時刻情報Ｉｎｆ１を気象情報サーバ４０に送信し、当該気象情報サーバ４０から当該場所時刻情報Ｉｎｆ１が示す場所及び時刻にもっとも近い気象観測地において観測された気象情報Ｉｎｆ２を受信する」ことは第１制限情報に基づき、さらにどのような情報が必要かを示す要求情報を生成し、その要求情報に応じて第２制限情報を取得するという処理内容となる。
【００４８】
（４）上述した実施形態では、オーディオ再生装置１０はポータブルオーディオプレイヤーだったが、オーディオ再生装置１０の形態はこれに限られるものではなく、例えば自動演奏楽器でもよい。この場合例えば、データ配信装置２０で送信されるオーディオファイルはＭＩＤＩ形式のファイルであり、自動演奏楽器が当該ＭＩＤＩ形式ファイルとこれと対になる条件レコードを読み込み、この条件レコードに応じて当該ＭＩＤＩ形式ファイルの自動演奏を制限してもよい。
【００４９】
（５）上述した第二実施形態では、オーディオ再生装置１０から送信する情報（第１制限情報）に応じて受信する情報（第２制限情報）は「気象情報」であり、当該情報の獲得には気象情報サーバ４０を用いたが、第２制限情報は気象情報に限られるものではなく、他のデータを用いてもよい。他のデータとしては例えば、楽曲の得票数、Ｗｅｂサイトのヒット件数、交通情報、為替・株式相場、競走馬の順位、野球やサッカーなどの試合結果、人口密度、店舗情報、擬似乱数などの様々なデータをＧＰＳセンサ１２が出力する現在の場所情報と関連付けて用いることができる。この場合、例えば、第２制限情報として交通情報を用いるならば、場所時刻情報Ｉｎｆ１が示す地域の渋滞状況に応じて楽曲の再生動作を制限してもよい。また、第２制限情報としてサッカーの試合結果を用いるならば、得点したチームの応援席にいるかどうかによって、楽曲の再生動作を制限してもよい。また、第２制限情報として人口密度を用いるならば、各ＧＰＳセンサ１２から送信される場所情報の分布をもって人口分布とし、周囲の混雑具合によって、楽曲の再生動作を制限してもよい。
【００５０】
（６）上述した実施形態では、条件レコードをサーバが書き換えることはなかったが、配信後にサーバが条件レコードを書き換えてもよい。この場合、オーディオ再生装置１０がデータ配信装置２０とネットワーク９０を介して通信したときにデータ配信装置２０が新しい条件レコードを送信してもよい。また、条件レコードに期限情報を記述し、当該期限情報を基に対応するオーディオファイルを削除したり、条件レコードのダウンロードを促す表示をするとともに楽曲の再生を禁止したりしてもよい。
【００５１】
（７）上述した第一実施形態では、場所条件は記述された中心点から半径１ｋｍ以内の範囲というものであったが、場所条件の記述方法はこれに限られるものではない。例えば、条件レコードにさらに半径を示す距離データを記述して、オーディオファイルごとに聴くことができる場所の広さを設定してもよい。また、場所情報を３以上の点群で構成し、この点群に囲まれた多角形の内部を当該場所として設定してもよい。
【００５２】
（８）上述した実施形態では、再生操作を契機にして、ＧＰＳ衛星３０からの電波信号を受信していたが、場所時刻情報Ｉｎｆ１の獲得のタイミングはこれに限られるものではなく、例えば制御部１１内のタイマによって所定間隔毎の割り込み処理を起動し、ＧＰＳ衛星３０からの電波信号を受信してもよい。
【００５３】
（９）上述した第三実施形態では、通常再生指示とシャッフル再生指示の選択を行うようにしたが、再生指示の選択肢はこれに限られるものではなく、例えば、通常再生指示とシャッフル再生指示に加えて再生リスト１４ｅの順番に再生することも選択できるようにしてもよい。この場合の順番は降順と昇順のいずれかを選択できるようにしてもよい。
【００５４】
（１０）上述した実施形態では、再生する対象はオーディオファイルであったが、再生対象はオーディオファイルのみに限れられることなく、例えば、オーディオ再生装置１０に動画再生機能を付与し、動画情報を伴ったオーディオファイルを再生対象としてもよい。この場合、ファイル再生に際して、条件レコードに応じた制限を与える態様としては、動画とオーディオの両方を同時に制限することのほか、動画のみを制限したり、オーディオのみを制限したりすることが考えられる。
【００５５】
（１１）上述した第二実施形態及び第三実施形態では、並べ替えの対象は条件ファイル１４ｃであったが、条件ファイル１４ｃの全ての条件レコードに対応するレコードを持った再生リスト１４ｅを生成し、当該再生リスト１４ｅの順位フィールドを条件ファイル１４ｃに基づいて記述してもよい。
【００５６】
（１２）上述した第一実施形態ではオーディオファイルの再生の制限とは、許可と禁止の２者択一によるものであり、また、第二実施形態及び第三実施形態では、再生の順序によるものであったが、オーディオファイルの再生の制限はこれに限られるものではない。例えば、再生品質を劣化させたり、再生時間を限ったりすることが考えられる。再生品質を劣化させるとは、具体的には楽曲の再生であれば、所定の周波数範囲に含まれる音を遮断したり、サンプリングレートを下げたりするなど、音質に関わるパラメータの値を劣化する方向に加工するなどの処理である。また動画の再生であれば、色彩情報の一部または全部を遮断したりすることなど、画質に関わるパラメータを劣化させる方向に加工するなどの処理である。また、再生時間を限る方法とは具体的には、楽曲の開始から４５秒のみ再生して、その後５秒間で再生音がフェードアウトすることなどの処理のように、再生時間について限定を加えるなどの処理である。
【００５７】
（１３）上述した実施形態では、オーディオファイルと条件レコードは通信回線を介してデータ配信装置２０により配信されたが、オーディオ再生装置１０へのこれらの供給手段はデータ配信装置に限られるものではなく、オーディオファイルと条件レコードとが対になっていれば、どのような方法で供給されてもよい。例えば、オーディオＣＤ（ＣＤ−ＤＡ；Ｃｏｍｐａｃｔ  Ｄｉｓｃ−Ｄｉｇｉｔａｌ  Ａｕｄｉｏ）やＤＶＤ（Ｄｉｇｉｔａｌ  Ｖｅｒｓａｔｉｌｅ  Ｄｉｓｃ）を再生する再生ドライブによりこれらが供給されてもよい。この場合においては、予めオーディオＣＤ等の生産時にオーディオファイルと条件レコードとを対にして記録しておけばよい。
【００５８】
（１４）上述した実施形態では、オーディオファイルと条件レコードとは別々の記憶領域（オーディオファイル群１４ｂ、条件ファイル１４ｃ）に記憶され、オーディオファイル名を介して両者を関係付けたが、オーディオファイルと条件レコードとを関係付ける方法はこのような態様に限られない。例えば、オーディオファイルの構造として楽曲を記録したコンテンツ領域とそれ以外の非コンテンツ領域を備えたコンテナ構造を採用し、非コンテンツ領域にタグ情報を組み込んで、当該タグ情報に条件レコードを含ませてもよい。また、データ隠蔽技術によって楽曲再生時に人間の聴感上気がつかないようにして、条件レコードをオーディオファイルのコンテンツ部分に含ませてもよい。さらにオーディオファイルと条件レコードとを切り離して利用することができないように、条件レコードを鍵とした暗号化をオーディオファイルに施し、条件レコードと切り離してオーディオファイルの再生ができなくなるようにしてもよい。
【図面の簡単な説明】
【００５９】
【図１】第一実施形態に係る楽曲再生システム１の全体構成を示す図である。
【図２】第一実施形態に係るデータ配信装置２０の構成の一例を示す図である。
【図３】第一実施形態に係るオーディオ再生装置１０の構成の一例を示すブロック図である。
【図４】第一実施形態に係る条件ファイル１４ｃの構成の一例を示す図である。
【図５】第一実施形態に係る楽曲再生プロセスＳ１００を示したシーケンス図である。
【図６】第二実施形態に係る楽曲再生システム２の全体構成を示す図である。
【図７】第二実施形態に係る条件ファイル１４ｃの構成の一例を示す図である。
【図８】第二実施形態に係る楽曲再生プロセスＳ２００を示したシーケンス図である。
【図９】第三実施形態に係るオーディオ再生装置１０の構成を示す図である。
【図１０】第三実施形態に係る履歴データベース１４ｄの構成の一例を示す図である。
【図１１】第三実施形態に係る再生リスト１４ｅの構成の一例を示す図である。
【図１２】第三実施形態に係る楽曲再生プロセスＳ３００を示したシーケンス図である。
【図１３】第三実施形態に係る更新前後の条件ファイル１４ｃの一例を示す図である。
【符号の説明】
【００６０】
１、２…楽曲再生システム、１０…オーディオ再生装置、１１…制御部、１２…ＧＰＳセンサ、１３…通信部、１４…記憶部、１４ａ…楽曲再生プログラム、１４ｂ…オーディオファイル群、１４ｃ…条件ファイル、１４ｄ…履歴データベース、１４ｅ…再生リスト、１５…操作部、１６…表示部、１７…放音部、２０…データ配信装置、２１…制御部、２２…通信部、２３…記憶部、２３ａ…楽曲配信プログラム、２３ｂ…オーディオファイル群、２３ｃ…条件ファイル、３０…ＧＰＳ衛星、４０…気象情報サーバ、９０…ネットワーク
【図１】
2008225108.tif 000003
【図２】
2008225108.tif 000004
【図３】
2008225108.tif 000005
【図４】
2008225108.tif 000006
【図５】
2008225108.tif 000007
【図６】
2008225108.tif 000008
【図７】
2008225108.tif 000009
【図８】
2008225108.tif 000010
【図９】
2008225108.tif 000011
【図１０】
2008225108.tif 000012
【図１１】
2008225108.tif 000013
【図１２】
2008225108.tif 000014
【図１３】
2008225108.tif 000015